(57)【要約】【課題】採取対象の血液成分を容易かつ迅速に採取することができる血液成分採取装置を提供する。【解決手段】血液成分採取装置１は、血液成分採取回路２を有している。血液成分採取回路２は、遠心分離器２０、採血針２９を有する第１のライン２１、第２のライン２２、第３のライン２３、血漿採取バッグ２５、エアーバッグ２７ｂ、中間バッグ２７ａ、血小板採取バッグ２６、白血球除去フィルター２６１およびバッグ２８を備えている。そして、この血液成分採取装置１は、作動モードとして、血小板（第１の血液成分）および血漿（第２の血液成分）を最終的に採取する操作と、血小板を最終的に採取する操作とのいずれか一方の操作を実行する第１のモードと、第１のモードと工程が異なり、血漿を最終的に採取する操作を実行する第２のモードとに切り替えることができるように構成されている。【選択図】図２
2006026182.tif 000002
【特許請求の範囲】
【請求項１】
供血者から血液を採取する採血手段と、
前記採血手段により採取された血液を遠心分離する遠心分離器と、
前記遠心分離器により分離された第１の血液成分を採取する第１の血液成分採取バッグおよび第２の血液成分を採取する第２の血液成分採取バッグとを備える血液成分採取回路を有し、
採取した血液を遠心分離し、前記第１の血液成分および／または前記第２の血液成分を採取して、残りの血液成分を前記供血者に返還する血液成分採取装置であって、
作動モードとして、前記第１の血液成分および前記第２の血液成分を最終的に採取する操作と、前記第１の血液成分を最終的に採取する操作とのいずれか一方の操作を実行する第１のモードと、該第１のモードと工程が異なり、前記第２の血液成分を最終的に採取する操作を実行する第２のモードとに切り替え可能であることを特徴とする血液成分採取装置。
【請求項２】
前記第１の血液成分の目標採取量が０に設定される場合は、作動モードが前記第２のモードに設定されるように構成されている請求項１に記載の血液成分採取装置。
【請求項３】
供血者から血液を採取する採血手段と、
前記採血手段により採取された血液を遠心分離する遠心分離器と、
前記遠心分離器により分離された第１の血液成分を採取する第１の血液成分採取バッグおよび第２の血液成分を採取する第２の血液成分採取バッグとを備える血液成分採取回路を有し、
採取した血液を遠心分離し、前記第１の血液成分および／または前記第２の血液成分を採取して、残りの血液成分を前記供血者に返還する血液成分採取装置であって、
前記第１の血液成分の目標採取量および前記第２の血液成分の目標採取量をそれぞれ入力する目標採取量入力手段と、
前記入力された前記第１の血液成分の目標採取量および前記第２の血液成分の目標採取量をそれぞれ設定する目標採取量設定手段とを有し、
作動モードとして、前記第１の血液成分および前記第２の血液成分を最終的に採取する操作と、前記第１の血液成分を最終的に採取する操作とのいずれか一方の操作を実行する第１のモードと、該第１のモードと工程が異なり、前記第２の血液成分を最終的に採取する操作を実行する第２のモードとに切り替え可能であり、
前記第１の血液成分の目標採取量が０に設定されない場合は、作動モードが前記第１のモードに設定され、前記第１の血液成分の目標採取量が０に設定される場合は、作動モードが前記第２のモードに設定されるように構成されていることを特徴とする血液成分採取装置。
【請求項４】
当該血液成分採取装置は、採取した血液を遠心分離し、前記第１の血液成分および／または前記第２の血液成分を採取する血液成分採取工程と、残りの血液成分を返還する血液成分返還工程とを有する血液成分採取操作を少なくとも１サイクル行うものである請求項１ないし３のいずれかに記載の血液成分採取装置。
【請求項５】
前記第１の血液成分は、主に、血小板であり、前記第２の血液成分は、主に、血漿である請求項１ないし４のいずれかに記載の血液成分採取装置。
【請求項６】
前記第１のモードにおける前記血液成分採取工程は、血漿を採取する血漿採取工程と、前記血漿採取工程により採取された血漿を前記遠心分離器に循環させる血漿循環工程と、前記血漿採取工程により採取された血漿を前記遠心分離器に加速させながら供給して血小板を採取する血小板採取工程とを有する請求項４に記載の血液成分採取装置。
【請求項７】
前記第２のモードにおける前記血液成分採取工程は、血漿を採取する血漿採取工程を有する請求項４または６に記載の血液成分採取装置。
【発明の詳細な説明】
【技術分野】
【０００１】
本発明は、血液成分採取装置に関するものである。
【背景技術】
【０００２】
採血を行う場合、血液の有効利用および供血者の負担軽減などの理由から、採血血液を遠心分離などにより各血液成分に分離し、輸血者に必要な成分だけを採取し、その他の成分は供血者に返還する成分採血が行われている。
【０００３】
このような成分採血においては、血液成分採取装置を用いて、供血者から採血した血液を血液成分採取回路に導入し、該血液成分採取回路に設置された遠心ボウルと呼ばれる遠心分離器により、血漿、バフィーコートおよび赤血球に分離し、その内のバフィーコートから血小板（所定の血液成分）を分離し、容器に回収して血小板製剤とし、血漿も別の容器に回収して血漿製剤または血漿分画製剤の原料とし、残りの血漿、白血球および赤血球は、供血者に返血することが行われる（例えば、特許文献１参照）。
【０００４】
この血液成分採取装置では、予め血小板および血漿の採取量を所定値に設定すると、血小板および血漿を採取することができ、血小板の採取量を０に設定し、血漿の採取量を０以外の所定値に設定すると、血漿のみを採取することができる。
【０００５】
しかしながら、従来の血液成分採取装置では、血小板および血漿を採取する場合と、血漿のみを採取する場合とで、同一の作動モードで作動するので（略同じ動作を行なうので）、血漿のみを得る場合は、無駄な動作も行なわれてしまい、その採取に長時間を要するという欠点がある。
【０００６】
【特許文献１】特表平８−５０９４０３号公報
【発明の開示】
【発明が解決しようとする課題】
【０００７】
本発明の目的は、採取対象の血液成分を容易かつ迅速に採取することができる血液成分採取装置を提供することにある。
【課題を解決するための手段】
【０００８】
このような目的は、下記（１）〜（７）の本発明により達成される。
（１）  供血者から血液を採取する採血手段と、
前記採血手段により採取された血液を遠心分離する遠心分離器と、
前記遠心分離器により分離された第１の血液成分を採取する第１の血液成分採取バッグおよび第２の血液成分を採取する第２の血液成分採取バッグとを備える血液成分採取回路を有し、
採取した血液を遠心分離し、前記第１の血液成分および／または前記第２の血液成分を採取して、残りの血液成分を前記供血者に返還する血液成分採取装置であって、
作動モードとして、前記第１の血液成分および前記第２の血液成分を最終的に採取する操作と、前記第１の血液成分を最終的に採取する操作とのいずれか一方の操作を実行する第１のモードと、該第１のモードと工程が異なり、前記第２の血液成分を最終的に採取する操作を実行する第２のモードとに切り替え可能であることを特徴とする血液成分採取装置。
【０００９】
（２）  前記第１の血液成分の目標採取量が０に設定される場合は、作動モードが前記第２のモードに設定されるように構成されている上記（１）に記載の血液成分採取装置。
【００１０】
（３）  供血者から血液を採取する採血手段と、
前記採血手段により採取された血液を遠心分離する遠心分離器と、
前記遠心分離器により分離された第１の血液成分を採取する第１の血液成分採取バッグおよび第２の血液成分を採取する第２の血液成分採取バッグとを備える血液成分採取回路を有し、
採取した血液を遠心分離し、前記第１の血液成分および／または前記第２の血液成分を採取して、残りの血液成分を前記供血者に返還する血液成分採取装置であって、
前記第１の血液成分の目標採取量および前記第２の血液成分の目標採取量をそれぞれ入力する目標採取量入力手段と、
前記入力された前記第１の血液成分の目標採取量および前記第２の血液成分の目標採取量をそれぞれ設定する目標採取量設定手段とを有し、
作動モードとして、前記第１の血液成分および前記第２の血液成分を最終的に採取する操作と、前記第１の血液成分を最終的に採取する操作とのいずれか一方の操作を実行する第１のモードと、該第１のモードと工程が異なり、前記第２の血液成分を最終的に採取する操作を実行する第２のモードとに切り替え可能であり、
前記第１の血液成分の目標採取量が０に設定されない場合は、作動モードが前記第１のモードに設定され、前記第１の血液成分の目標採取量が０に設定される場合は、作動モードが前記第２のモードに設定されるように構成されていることを特徴とする血液成分採取装置。
【００１１】
（４）  当該血液成分採取装置は、採取した血液を遠心分離し、前記第１の血液成分および／または前記第２の血液成分を採取する血液成分採取工程と、残りの血液成分を返還する血液成分返還工程とを有する血液成分採取操作を少なくとも１サイクル行うものである上記（１）ないし（３）のいずれかに記載の血液成分採取装置。
【００１２】
（５）  前記第１の血液成分は、主に、血小板であり、前記第２の血液成分は、主に、血漿である上記（１）ないし（４）のいずれかに記載の血液成分採取装置。
【００１３】
（６）  前記第１のモードにおける前記血液成分採取工程は、血漿を採取する血漿採取工程と、前記血漿採取工程により採取された血漿を前記遠心分離器に循環させる血漿循環工程と、前記血漿採取工程により採取された血漿を前記遠心分離器に加速させながら供給して血小板を採取する血小板採取工程とを有する上記（４）に記載の血液成分採取装置。
【００１４】
（７）  前記第２のモードにおける前記血液成分採取工程は、血漿を採取する血漿採取工程を有する上記（４）または（６）に記載の血液成分採取装置。
【発明の効果】
【００１５】
本発明によれば、作動モードとして、第１の血液成分および第２の血液成分を最終的に採取する操作と、第１の血液成分を最終的に採取する操作とのいずれか一方の操作を実行する第１のモードと、第１のモードと工程が異なり、第２の血液成分を最終的に採取する操作を実行する第２のモードとに切り替え可能であるので、同一の作動モードで作動する場合に比べ、無駄な工程（動作）が省略（削減）され、採取対象の血液成分を容易かつ迅速に採取することができる。
【発明を実施するための最良の形態】
【００１６】
以下、本発明の血液成分採取装置を添付図面に示す好適実施形態に基づいて詳細に説明する。
【００１７】
図１は、本発明の血液成分採取装置の実施形態を示す斜視図、図２は、本発明の血液成分採取装置の実施形態を示す平面図、図３は、図１および図２に示す血液成分採取装置が備える遠心分離器駆動装置に遠心分離器が装着された状態の部分破断断面図であり、図４および図５は、それぞれ、図１および図２に示す血液成分採取装置の作用を説明するためのフローチャートである。
【００１８】
図１および図２に示す血液成分採取装置１は、血液を複数の血液成分に分離するとともに分離された血液成分を採取、本実施形態では、血小板（血小板を含む血漿）と、血漿とのうちのいずれか一方または両方（特に、血小板）を採取するための装置である。この血液成分採取装置１は、装置本体３と、装置本体３に対して着脱自在に設けられる血液成分採取回路（採取回路）２とを備えている。
【００１９】
血液成分採取回路２は、内部に貯血空間１４６を有するローター１４２と、貯血空間１４６に連通する流入口１４３および排出口（流出口）１４４とを有し、ローター１４２の回転により流入口１４３より導入された血液を貯血空間１４６内で遠心分離する遠心分離器２０と、採血針（採血手段）２９と遠心分離器２０の流入口１４３とを接続する第１のライン２１と、遠心分離器２０の排出口１４４に接続された第２のライン２２と、第１のライン２１に接続された第３のライン２３と、チューブ４９および５０を介して第１のライン２１に接続され、かつチューブ４３および４４を介して第２のライン２２に接続された血漿採取バッグ（採取バッグ）２５と、チューブ４２を介して第２のライン２２に接続されたエアーバッグ２７ｂと、チューブ４３および４５を介して第２のライン２２に接続された中間バッグ（一時貯留バッグ）２７ａと、チューブ４６、４７および４８を介して中間バッグ２７ａに接続された血小板採取バッグ（採取バッグ）２６と、チューブ５１を介して血小板採取バッグ２６に接続されたバッグ２８とを有している。
【００２０】
また、装置本体３は、遠心分離器２０のローター１４２を回転させるための遠心分離器駆動装置１０と、第１のライン２１のための第１の送液ポンプ１１と、第３のライン２３のための第２の送液ポンプ１２と、血液成分採取回路２の流路の途中を開閉し得る複数（本実施形態では、第１〜第７の７個）の流路開閉手段８１、８２、８３、８４、８５、８６、８７と、遠心分離器駆動装置１０、第１の送液ポンプ１１、第２の送液ポンプ１２および複数の流路開閉手段８１〜８７を制御するための制御部（制御手段）１３と、濁度センサ（血小板濃度センサ）１４と、光学式センサ１５と、重量センサ１６と、複数（本実施形態では、６個）の気泡センサ３１、３２、３３、３４、３５、３６とを備えている。
【００２１】
そこで、最初に、血液成分採取回路２について説明する。
この血液成分採取回路２は、ドナー（供血者）から血液を採取する採血針（採血手段）２９と遠心分離器２０の流入口１４３とを接続し、第１のポンプチューブ２１ｇを備える第１のライン（採血および返血ライン）２１と、一端側が遠心分離器２０の排出口（流出口）１４４に接続された第２のライン２２と、第１のライン２１の採血針２９の近くに接続され、第２のポンプチューブ２３ａを備える第３のライン（抗凝固剤注入ライン）２３と、第１のライン２１のポンプチューブ２１ｇより採血針２９側に接続されたチューブ５０と、チューブ５０に接続されたチューブ４９と、第２のライン２２に接続されたチューブ４３と、チューブ４３に接続されたチューブ４４と、チューブ４４および４９に接続された血漿採取バッグ２５と、第２のライン２２に接続されたチューブ４２と、チューブ４２に接続されたエアーバッグ２７ｂと、チューブ４３に接続されたチューブ４５と、チューブ４５に接続された中間バッグ２７ａと、中間バッグ２７ａに接続されたチューブ４６と、チューブ４６に接続されたチューブ４７と、チューブ４８と、チューブ４８に接続された血小板採取バッグ２６と、血小板採取バッグ２６に接続されたチューブ５１と、チューブ５１に接続されたバッグ２８とを備えている。エアーバッグ２７ｂと中間バッグ２７ａとは、一体的に形成（一体化）されている。
【００２２】
第１のライン２１は、採血針２９が接続された採血針側第１ライン２１ａと、一端側が採血針側第１ライン２１ａに接続され、他端側が遠心分離器２０の流入口１４３に接続された遠心分離器側第１ライン２１ｂとを有している。採血針２９としては、例えば、公知の金属針が使用される。
【００２３】
この採血針側第１ライン２１ａ、遠心分離器側第１ライン２１ｂ、後述する第２のライン２２、第３のライン２３は、それぞれ、軟質樹脂製チューブ、または、その軟質樹脂製チューブが複数接続されて形成されている。
【００２４】
採血針側第１ライン２１ａは、採血針２９側より、第３のライン２３との接続用分岐コネクター２１ｃと、気泡およびマイクロアグリゲート除去のためのチャンバー２１ｄと、チューブ５０との接続用分岐コネクター２１ｆとを備えている。
【００２５】
また、採血針側第１ライン２１ａに沿って、採血針２９側より、気泡センサ３５、３６および３２が設置されている。この場合、気泡センサ３５および３６は、分岐コネクター２１ｃとチャンバー２１ｄとの間に配置され、気泡センサ３２は、チャンバー２１ｄと分岐コネクター２１ｆとの間に配置されている。
【００２６】
また、チャンバー２１ｄには、チューブ２１ｈを介して通気性かつ菌不透過性のフィルター２１ｉが接続されている。このラインは、例えば、採血針側第１ライン２１ａの内圧の検出等に用いることができる。
【００２７】
一方、遠心分離器側第１ライン２１ｂは、チューブ５０との接続用分岐コネクター２１ｆに接続されており、その途中に形成された第１のポンプチューブ２１ｇを有している。
【００２８】
第２のライン２２は、その一端側が遠心分離器２０の排出口１４４に接続されている。
この第２のライン２２は、チューブ４２および４３との接続用分岐コネクター２２ｂとを備えている。
【００２９】
また、第２のライン２２に沿って、遠心分離器２０側より、濁度センサ１４および気泡センサ３４が設置されている。この場合、濁度センサ１４および気泡センサ３４は、遠心分離器２０と分岐コネクター２２ｂとの間に配置されている。
【００３０】
また、分岐コネクター２２ｂには、チューブ４１を介して通気性かつ菌不透過性のフィルター２２ｆが接続されている。このラインは、例えば、第２のライン２２の内圧の検出等に用いることができる。
【００３１】
第３のライン２３は、その一端が第１のライン２１に設けられた接続用分岐コネクター２１ｃに接続されている。すなわち、第３のライン（流路）２３は、分岐コネクター（分岐部）２１ｃを介して第１のライン（流路）２１から分岐している。また、分岐コネクター２１ｃは、採血針２９の近傍に位置している（設けられている）。
【００３２】
この第３のライン２３は、分岐コネクター２１ｃ側より、第２のポンプチューブ２３ａと、除菌フィルター（異物除去用フィルター）２３ｂと、気泡除去用チャンバー２３ｃと、抗凝固剤容器接続用針２３ｄとを備えている。
【００３３】
また、第３のライン２３に沿って、気泡センサ３１が設置されている。この気泡センサ３１は、分岐コネクター２１ｃと第２のポンプチューブ２３ａとの間に配置されている。
【００３４】
この第３のライン２３の抗凝固剤容器接続用針２３ｄは、抗凝固剤（抗凝固剤液）が収納（収容）されたバッグ（容器）６１に接続され、これにより、容器内の抗凝固剤は、後述するように、抗凝固剤容器接続用針２３ｄから分岐コネクター２１ｃに向かって第３のライン２３を流れ、採血針側第１ライン２１ａに供給（注入）される。これにより、例えば、第３のライン２３を介して、採血針２９により採取された血液に抗凝固剤を添加（混合）することができる。
【００３５】
なお、抗凝固剤としては、特に限定されないが、例えば、ＡＣＤ−Ａ液等を用いることができる。
【００３６】
第２の血液成分採取バッグである血漿採取バッグ（第２の容器）２５は、血漿（第２の血液成分）を採取（貯留）するための容器である。チューブ４９の一端は、この血漿採取バッグ２５に接続され、その途中に接続用分岐コネクター２２ｄが設けられている。そして、チューブ５０の一端は、この分岐コネクター２２ｄに接続され、他端は、分岐コネクター２１ｆに接続されている。
【００３７】
また、チューブ４３の一端は、分岐コネクター２２ｂに接続され、その他端には、接続用分岐コネクター２２ｃが設けられている。そして、チューブ４４の一端は、この分岐コネクター２２ｃに接続され、他端は、血漿採取バッグ２５に接続されている。
【００３８】
また、チューブ４６の途中には、そのチューブ４６に沿って、気泡センサ３３が設置されている。
【００３９】
なお、血漿採取バッグ２５、チューブ４３および４４により、血漿を採取する血漿採取用分岐ラインが構成されている。
【００４０】
第１の血液成分採取バッグである血小板（血小板製剤）採取バッグ（第１の容器）２６は、後述する白血球除去フィルター２６１を通過した後の血小板を含む血漿（第１の血液成分）を採取（貯留）するための容器である。なお、以下の説明では、血小板を含む血漿（第１の血液成分）を、「濃厚血小板」と言い、血小板採取バッグ２６内に採取（貯留）された濃厚血小板を、「血小板製剤」と言う。
【００４１】
チューブ５１の一端は、この血小板採取バッグ２６に接続され、その他端にはバッグ２８が接続されている。
【００４２】
エアーバッグ２７ｂは、空気（エアー）を一時的に収納（貯留）するための容器である。
【００４３】
後述する採血の際は、遠心分離器２０の貯血空間１４６内等の血液成分採取回路２内の空気（滅菌空気）は、このエアーバッグ２７ｂ内に移送され、収納される。そして、返血工程（血液成分返還工程）の際、エアーバッグ２７ｂ内に収納されている空気は、遠心分離器２０の貯血空間１４６内に移送され、戻される。これにより、所定の血液成分が、ドナーへ返還される。
【００４４】
チューブ４２の一端は、分岐コネクター２２ｂに接続され、他端は、このエアーバッグ２７ｂに接続されている。
【００４５】
中間バッグ（一時貯留バッグ）（第３の容器）２７ａは、濃厚血小板（第１の血液成分）を一時的に貯留するための容器（貯留部）である。チューブ４５の一端は、分岐コネクター２２ｃに接続され、他端は、この中間バッグ２７ａに接続されている。
【００４６】
また、チューブ４６の一端は、この中間バッグ２７ａに接続され、その他端には、接続用分岐コネクター２２ｅが設けられている。前記チューブ４９の他端は、この分岐コネクター２２ｅに接続されている。
【００４７】
また、接続用分岐コネクター２２ｅには、チューブ４７の一端が接続され、このチューブ４７の途中には、濃厚血小板中から白血球（所定の細胞）を分離除去する白血球除去フィルター（細胞分離フィルター）（濾過器）２６１が設置されている。
【００４８】
また、チューブ４７の他端には、接続用分岐コネクター２２ｇが設けらており、一端が前記血小板採取バッグ２６に接続されたチューブ４８の他端が、この分岐コネクター２２ｇに接続されている。
【００４９】
また、分岐コネクター２２ｇのポートには、ベントフィルターが設けられたフィルター本体およびキャップを備えたフィルター２２ｈが設置されている。
【００５０】
ここで、チューブ４６および４７は、中間バッグ２７ａから白血球除去フィルター２６１に濃厚血小板を供給する供給用チューブを構成し、また、チューブ４８は、白血球除去フィルター２６１から白血球を分離除去した後の濃厚血小板を排出する（血小板採取バッグ２６に供給する）排出用チューブを構成する。
【００５１】
すなわち、チューブ４６、４７、４８、中間バッグ２７ａ、白血球除去フィルター２６１および血小板採取バッグ２６により、濃厚血小板から白血球を分離除去する濾過ラインが構成されている。
【００５２】
血液成分採取装置１を組み立てた状態で（血液成分採取装置１を使用する際）、これらの中間バッグ２７ａ、白血球除去フィルター２６１、血小板採取バッグ２６および血漿採取バッグ２５は、それぞれ、中間バッグ２７ａが血漿採取バッグ２５より低い位置（鉛直方向下方）に、白血球除去フィルター２６１が中間バッグ２７ａより低い位置に、さらに、血小板採取バッグ２６が白血球除去フィルター２６１より低い位置にセットされる（位置する）。そして、中間バッグ２７ａおよび血漿採取バッグ２５は、それぞれ、遠心分離器２０のローター１４２の貯血空間１４６より高い位置（鉛直方向上方）に位置する。
【００５３】
この場合、装置本体３には、血漿採取バッグ２５と、中間バッグ２７ａおよびエアーバッグ２７ｂと、バッグ６１とを着脱自在に支持する支持部であるハンガー（フック）３０１、３０２および３０３が、それぞれ、設けられている。そして、血漿採取バッグ２５は、該血漿採取バッグ２５の血漿の出入口側が鉛直方向下方になるように、ハンガー３０１に引っ掛けられ、吊り下げられる（吊られる）。同様に、中間バッグ２７ａは、該中間バッグ２７ａの濃厚血小板の出入口側が鉛直方向下方になるように、ハンガー３０２に引っ掛けられ、吊り下げられる。また、バッグ６１は、抗凝固剤（抗凝固剤液）の出口側が鉛直方向下方になるように、ハンガー３０３に引っ掛けられ、吊り下げられる。
【００５４】
また、白血球除去フィルター２６１としては、例えば、両端に流入口および排出口を有するケーシング内に、例えば、ポリプロピレン、ポリエステル、ポリウレタン、ポリアミド等の合成樹脂よりなる織布、不織布、メッシュ、発泡体等の多孔質体を１層または２層以上積層した濾過部材を挿入して構成したもの等を用いることができる。
【００５５】
上述した第１〜第３のライン２１〜２３の形成に使用される各チューブ、各ポンプチューブ２１ｇ、２３ａ、さらに、その他の各チューブ４１〜５１、２１ｈの構成材料としては、それぞれ、ポリ塩化ビニルが好ましい。
【００５６】
これらのチューブがポリ塩化ビニル製であれば、十分な可撓性、柔軟性が得られるので取り扱いがし易く、また、クレンメ等による閉塞にも適するからである。
【００５７】
また、上述した各分岐コネクター２１ｃ、２１ｆ、２２ｂ、２２ｃ、２２ｄ、２２ｅ、２２ｇの構成材料についても、それぞれ、前記チューブで挙げた構成材料と同様のものを用いることができる。
【００５８】
なお、各ポンプチューブ２１ｇ、２３ａとしては、それぞれ、後述する各送液ポンプ（例えば、ローラーポンプ等）１１、１２により押圧されても損傷を受けない程度の強度を備えるものが使用されている。
【００５９】
血漿採取バッグ２５、血小板採取バッグ２６、中間バッグ２７ａ、エアーバッグ２７ｂ、バッグ２８および６１は、それぞれ、樹脂製の可撓性を有するシート材を重ね、その周縁部を融着（熱融着、高周波融着、超音波融着等）または接着剤により接着等して袋状にしたものが使用される。なお、前述したように、エアーバッグ２７ｂと中間バッグ２７ａとは、一体的に形成（一体化）されている。
【００６０】
各バッグ２５、２６、２７ａ、２７ｂ、２８、６１に使用される材料としては、それぞれ、例えば、軟質ポリ塩化ビニルが好適に使用される。
【００６１】
なお、血小板採取バッグ２６に使用されるシート材としては、血小板保存性を向上するためにガス透過性に優れるものを用いることがより好ましい。
【００６２】
このようなシート材としては、例えば、ポリオレフィンやＤｎＤＰ可塑化ポリ塩化ビニル等を用いること、また、このような素材を用いることなく、上述したような材料のシート材を用い、厚さを比較的薄く（例えば、０．１〜０．５ｍｍ程度、特に、０．１〜０．３ｍｍ程度）したものが好適である。
【００６３】
このような血液成分採取回路２の主要部分は、例えば、カセット式となっている。すなわち、血液成分採取回路２は、各ライン（第１のライン２１、第２のライン２２、第３のライン２３）および所定の各チューブを部分的に収納し、かつ部分的にそれらを保持し、言い換えれば、部分的にそれらが固定されたカセットハウジング７０を備えている。
【００６４】
このカセットハウジング７０には、第１のポンプチューブ２１ｇの両端および第２のポンプチューブ２３ａの両端が固定され、これらのポンプチューブ２１ｇ、２３ａは、それぞれ、カセットハウジング７０より、各送液ポンプ（例えば、ローラーポンプ等）１１、１２の形状に対応したループ状に突出している。このため、第１および第２のポンプチューブ２１ｇ、２３ａは、それぞれ、各送液ポンプ１１、１２への装着が容易である。また、このカセットハウジング７０には、後述する各流路開閉手段８１〜８７の構成要素の一部等が設置される。
【００６５】
血液成分採取回路２に設けられている遠心分離器２０は、通常、遠心ボウルと呼ばれており、遠心力により血液を複数の血液成分に分離する。
【００６６】
遠心分離器２０は、図３に示すように、上端に流入口１４３が形成された鉛直方向に伸びる管体１４１と、管体１４１の回りで回転し、上部１４５に対し液密にシールされた中空のローター１４２とを有している。
【００６７】
ローター１４２には、その周壁内面に沿って環状の貯血空間１４６が形成されている。この貯血空間１４６は、図３中下部から上部に向けてその内外径が漸減するような形状（テーパ状）をなしており、その下部は、ローター１４２の底部に沿って形成されたほぼ円盤状の流路を介して管体１４１の下端開口に連通し、その上部は、排出口（流出口）１４４に連通している。また、ローター１４２において、貯血空間１４６の容積は、例えば、１００〜３５０ｍＬ程度とされ、ローター１４２の回転軸からの最大内径（最大半径）は、例えば、５５〜６５ｍｍ程度とされる。
【００６８】
このようなローター１４２は、血液成分採取装置１が備える遠心分離器駆動装置１０によりあらかじめ設定された所定の遠心条件（回転速度および回転時間）で回転する。この遠心条件により、ローター１４２内の血液の分離パターン（例えば、分離する血液成分数）を設定することができる。
【００６９】
本実施形態では、図３に示すように、血液がローター１４２の貯血空間１４６内で内層より血漿層１３１、バフィーコート層１３２および赤血球層１３３に分離されるように遠心条件が設定される。
【００７０】
次に、図１および図２に示す血液成分採取装置１の全体構成について説明する。
血液成分採取装置１の装置本体３は、遠心分離器２０のローター１４２を回転させるための遠心分離器駆動装置１０と、第１のライン２１の途中に設置された第１の送液ポンプ１１と、第３のライン２３の途中に設置された第２の送液ポンプ１２と、血液成分採取回路２（第１のライン２１、チューブ４２、チューブ４４、チューブ４５、チューブ４７、チューブ４９、チューブ５０）の流路の途中を開閉し得る複数の流路開閉手段８１、８２、８３、８４、８５、８６、８７の構成要素の残部と、各種の情報を表示（報知）する表示手段（報知手段）および各操作を行なう操作手段である表示・操作部１７と、遠心分離器駆動装置１０、第１の送液ポンプ１１、第２の送液ポンプ１２、複数の流路開閉手段８１〜８７および表示・操作部１７を制御するための制御部（制御手段）１３とを備えている。
【００７１】
さらに、血液成分採取装置１の装置本体３は、第２のライン２２に装着（設置）された濁度センサ１４と、遠心分離器２０の近傍に設置された光学式センサ１５と、複数の気泡センサ３１〜３６と、血漿の重量を血漿採取バッグ２５ごと重量測定するための重量センサ１６とを備えている。
【００７２】
制御部１３は、第１の送液ポンプ１１および第２の送液ポンプ１２のための２つのポンプコントローラ（図示せず）を備え、制御部１３と第１の送液ポンプ１１および第２の送液ポンプ１２とはポンプコントローラを介して電気的に接続されている。
【００７３】
遠心分離器駆動装置１０が備える駆動コントローラ（図示せず）は、制御部１３と電気的に接続されている。
【００７４】
各流路開閉手段８１〜８７は、それぞれ、制御部１３に電気的に接続されている。
また、濁度センサ１４、光学式センサ１５、重量センサ１６、気泡センサ３１〜３６、表示・操作部１７は、それぞれ、制御部１３と電気的に接続されている。
【００７５】
制御部１３は、例えばマイクロコンピュータで構成されており、制御部１３には、上述した濁度センサ１４、光学式センサ１５、重量センサ１６、気泡センサ３１〜３６からの検出信号が、それぞれ、随時入力される。また、表示・操作部１７からの信号（入力）も、制御部１３に入力される。
【００７６】
制御部１３は、濁度センサ１４、光学式センサ１５、重量センサ１６、気泡センサ３１〜３６からの検出信号および表示・操作部１７からの信号に基づき、予め設定されたプログラムに従って、血液成分採取装置１の各部の作動、すなわち、各送液ポンプ１１、１２の回転、停止、回転方向（正転／逆転）を制御するとともに、必要に応じ、各流路開閉手段８１〜８７の開閉、遠心分離器駆動装置１０の作動および表示・操作部１７の駆動をそれぞれ制御する。
【００７７】
第１の流路開閉手段８１は、第１のポンプチューブ２１ｇより採血針２９側、すなわち、分岐コネクター２１ｆとチャンバー２１ｄとの間において第１のライン２１を開閉するために設けられている。
【００７８】
第２の流路開閉手段８２は、チューブ５０を開閉するために設けられている。第３の流路開閉手段８３は、チューブ４４を開閉するために設けられている。第４の流路開閉手段８４は、チューブ４５を開閉するために設けられている。第５の流路開閉手段８５は、チューブ４２を開閉するために設けられている。第６の流路開閉手段８６は、チューブ４９を開閉するために設けられている。第７の流路開閉手段８７は、チューブ４７を開閉するために設けられている。
【００７９】
各流路開閉手段８１〜８７は、それぞれ、第１のライン２１、チューブ５０、４４、４５、４２、４９、４７を挿入可能な挿入部を備え、該挿入部には、例えば、ソレノイド、電動モーター、シリンダ（油圧または空気圧）等の駆動源で作動するクランプを有している。具体的には、ソレノイドで作動する電磁クランプが好適である。
【００８０】
これらの流路開閉手段（クランプ）８１〜８７は、それぞれ、制御部１３からの信号に基づいて作動する。
【００８１】
表示・操作部１７は、例えば、液晶表示パネル、ＥＬ表示パネル等を備えたタッチパネル等で構成される。
【００８２】
なお、各種の情報を表示（報知）する表示手段（報知手段）である表示部（例えば、液晶表示パネル、ＥＬ表示パネル等）と、各操作を行なう操作手段である操作部（例えば、操作ボタン、操作スイッチ、操作ダイヤル等）とを、別個に設けてもよい。
【００８３】
遠心分離器駆動装置１０は、図３に示すように、遠心分離器２０を収納するハウジング２０１と、脚部２０２と、駆動源であるモータ２０３と、遠心分離器２０を保持する円盤状の固定台２０５とを有している。
【００８４】
ハウジング２０１は、脚部２０２の上部に載置、固定されている。また、ハウジング２０１の下面には、ボルト２０６によりスペーサー２０７を介してモータ２０３が固定されている。
【００８５】
モータ２０３の回転軸２０４の先端部には、固定台２０５が回転軸２０４と同軸でかつ一体的に回転するように嵌入されており、固定台２０５の上部には、ローター１４２の底部が嵌合する凹部が形成されている。
【００８６】
また、遠心分離器２０の上部１４５は、図示しない固定部材によりハウジング２０１に固定されている。
【００８７】
このような遠心分離器駆動装置１０では、モータ２０３を駆動すると、固定台２０５およびそれに固定されたローター１４２が、例えば、回転数３０００〜６０００ｒｐｍ程度で回転する。
【００８８】
ハウジング２０１には、その側部（図３中、左側）に光学式センサ１５が設置されている。
【００８９】
この光学式センサ１５は、貯血空間１４６に向って投光するとともにその反射光を受光するように構成されている。
【００９０】
光学式センサ１５は、投光部１５１から光（例えばレーザー光）を照射（投光）し、ローター１４２の反射面１４７で反射された反射光を受光部１５２で受光する。そして、受光部１５２においてその受光光量に応じた電気信号に変換される。
【００９１】
ここで、光学式センサ１５は、片面に反射面を有し、光路を変更する反射板１５３を有しており、投光部１５１から照射された光は、反射板１５３を介して反射面１４７に照射され、反射面１４７で反射した光は、反射板１５３を介して受光部１５２で受光されるように構成されている。
【００９２】
このとき、投光光および反射光は、それぞれ、貯血空間１４６内の血液成分を透過するが、血液成分の界面（本実施形態では、血漿層１３１とバフィーコート層１３２との界面Ｂ）の位置に応じて、投光光および反射光が透過する位置における各血液成分の存在比が異なるため、それらの透過率が変化する。これにより、受光部１５２での受光光量が変動（変化）し、この変動を受光部１５２からの出力電圧の変化として検出することができる。
【００９３】
すなわち、光学式センサ１５は、受光部１５２での受光光量の変化に基づき、血液成分の界面の位置を検出することができる。
【００９４】
なお、光学式センサ１５が検出する血液成分の界面としては、界面Ｂに限られず、例えば、バフィーコート層１３２と赤血球層１３３との界面であってもよい。
【００９５】
ここで、貯血空間１４６内の各層１３１〜１３３は、それぞれ、血液成分により色が異なっており、特に、赤血球層１３３は、赤血球の色に伴い赤色を呈している。このため、光学式センサ１５の精度向上の観点からは、投光光の波長に好適な範囲が存在し、この波長範囲としては、特に限定されないが、例えば、６００〜９００ｎｍ程度であるのが好ましく、７５０〜８００ｎｍ程度であるのがより好ましい。
【００９６】
濁度センサ１４は、第２のライン２２中を流れる流体の濁度（例えば、血小板の濃度、血漿の濃度）を検知するためのものであり、濁度に応じた電圧値を出力する。具体的には、濁度センサ１４は、濁度が高い時には低電圧値、濁度が低い時には高電圧値を出力する。
【００９７】
この濁度センサ１４により、例えば、第２のライン２２中を流れる血漿中の血小板濃度、血漿中の血小板濃度の変化、血漿中への赤血球の混入等を検出することができる。
【００９８】
また、気泡センサ３４により、例えば、第２のライン２２中を流れる流体の空気から血漿への置換等を検出することができる。
【００９９】
濁度センサ１４および各気泡センサ３１〜３６としては、それぞれ、例えば、超音波センサ、光学式センサ、赤外線センサ等を用いることがきる。
【０１００】
第１のポンプチューブ２１ｇが装着される第１の送液ポンプ１１、および、第２のポンプチューブ２３ａが装着される第２の送液ポンプ１２としては、それぞれ、例えば、ローラーポンプなどの非血液接触型ポンプが好適に用いられる。
【０１０１】
また、第１の送液ポンプ（血液ポンプ）１１としては、いずれの方向にも血液を送ることができるものが使用される。具体的には、正回転と逆回転が可能なローラーポンプが用いられている。
【０１０２】
この血液成分採取装置１は、作動モードとして、第１の血液成分である濃厚血小板（血小板製剤）および第２の血液成分である血漿（血漿製剤）を最終的に採取する操作と、濃厚血小板を最終的に採取する操作とのいずれか一方の操作を実行する第１のモードと、第１のモードと工程が異なり、血漿を最終的に採取する操作を実行する第２のモードとを有しており、この第１のモードと第２のモードとに切り替えることができるように構成されている。この第１のモードと第２のモードとの切り替えは、血液成分採取装置１の作動前（血液成分採取操作の開始前）のみならず、作動中（血液成分採取操作の途中）でも可能なように構成されている。
【０１０３】
また、この血液成分採取装置１は、血小板の目標採取量（目標単位数）および血漿の目標採取量を、それぞれ、所定の値に設定し得るように構成されている。すなわち、オペレータ（操作者）が、表示・操作部１７（表示・操作部１７に表示された所定の操作ボタン等）を操作することにより、血小板の目標単位数および血漿の目標採取量を、それぞれ、入力することができるように構成されている。したがって、表示・操作部１７により、目標採取量入力手段が構成される。なお、本実施形態では、血小板の目標単位数は、０単位、５単位、１０単位、２０単位のうちからいずれか１つを選択できるようになっている。また、血漿の目標採取量は、０ｍＬにも設定できるようになっている。
【０１０４】
表示・操作部１７から入力された血小板の目標単位数および血漿の目標採取量に関する情報は、それぞれ、制御部１３に入力される。制御部１３は、その情報に基づいて、血小板の目標単位数および血漿の目標採取量をそれぞれ設定する。したがって、制御部１３により、目標採取量設定手段が構成される。
【０１０５】
制御部１３は、血小板の目標単位数が０単位である場合には、血小板の目標採取量を０ｍＬに設定し、作動モードを第２のモードに設定する。
【０１０６】
また、制御部１３は、血小板の目標単位数が０単位でない場合には、作動モードを第１のモードに設定する。
【０１０７】
これにより、例えば、血小板の目標単位数が０単位（目標採取量が０ｍＬ）でなく、かつ、血漿の目標採取量が０ｍＬでない場合は、作動モードは、第１のモードに設定され、濃厚血漿板および血漿がそれぞれ採取される。
【０１０８】
また、血小板の目標単位数が０単位でなく、かつ、血漿の目標採取量が０ｍＬである場合は、作動モードは、第１のモードに設定され、濃厚血漿板が採取される。
【０１０９】
また、血小板の目標単位数が０単位であり、かつ、血漿の目標採取量が０ｍＬでない場合は、作動モードは、第２のモードに設定され、血漿が採取される。
【０１１０】
次に、血液成分採取装置１を用いた血液成分採取操作を、図２、図４および図５に示すフローチャートを参照しつつ説明する。
【０１１１】
作動モードが第１のモードに設定されている場合は、血液成分採取装置１は、制御部１３の制御により、第１の血漿採取工程と、定速血漿循環工程と、第２の血漿採取工程と、加速血漿循環工程と、第３の血漿採取工程と、血小板採取工程と、返血工程（血液成分返還工程）とを有する血液成分採取操作を行なうよう作動する。この血液成分採取操作は、少なくとも１回行われる。
【０１１２】
一方、作動モードが第２のモードに設定されている場合は、血液成分採取装置１は、制御部１３の制御により、第１の血漿採取工程と、第２の血漿採取工程と、第３の血漿採取工程と、返血工程（血液成分返還工程）とを有する血液成分採取操作を行なうよう作動する。この２のモードにおいては、前記定速血漿循環工程と、前記加速血漿循環工程と、前記血小板採取工程とが、それぞれ、省略される。また、この第２のモードにおいて、図４には、第１の血漿採取工程と、第２の血漿採取工程とが、別工程として記載されているが、これらは、実質的には、１つの工程である。この血液成分採取操作は、少なくとも１回行われる。
【０１１３】
本実施形態では、血液成分採取操作を繰り返して複数回（第１サイクル〜第ｎサイクル、ｎは２以上の整数）行なうようになっている。
【０１１４】
また、作動モードが第１のモードに設定されている場合は、最終サイクルの血液成分採取操作を行なうのに並行して、血液成分採取装置１は、制御部１３の制御により、中間バッグ２７ａ内に一時的に採取（貯留）した濃厚血小板を、白血球除去フィルター２６１に供給して、濃厚血小板中の白血球を分離除去する濾過操作（濾過工程）を行なうよう構成されている。
【０１１５】
この濾過操作を開始するタイミングは、特に限定されないが、ドナーの拘束時間を短縮する観点からは、この濾過操作を、最終サイクルの血液成分採取操作と同時に（特に、血液成分採取操作の早い段階の工程において）開始するのが好ましい。なお、本実施形態の血液成分採取装置１では、濾過操作を最終サイクルの血液成分採取操作における第２の血漿採取工程の開始とほぼ同時に開始するように構成されているが、フローチャートには、その濾過操作（濾過工程開始）のステップの記載を省略する。
【０１１６】
まずは、作動モードが第１のモードに設定されている場合について説明し、この後、作動モードが第２のモードに設定されている場合について、第１のモードとの相違点を中心に説明する。
【０１１７】
ここで、制御部１３は、図４に示すステップＳ１０Ａ、ステップＳ１０Ｂ、ステップＳ１０Ｃにおいて、それぞれ、血小板の目標採取量が０ｍＬに設定されているか否か、すなわち、作動モードが第１のモードに設定されているか否かを判断する。
【０１１８】
そして、血小板の目標採取量が０ｍＬに設定されていない場合（第１のモードに設定されている場合）は、それぞれ、「ＮＯ」に進み、以降の各ステップを実行する。
【０１１９】
一方、血小板の目標採取量が０ｍＬに設定されている場合（第２のモードに設定されている場合）は、「ＹＥＳ」に進み、以降の各ステップを実行する。
【０１２０】
以下の説明は、作動モードが第１のモードに設定されている場合と、作動モードが第２のモードに設定されている場合とであるので、前記ステップＳ１０Ａ、ステップＳ１０Ｂ、ステップＳ１０Ｃの説明は、それぞれ、省略する。なお、途中で、作動モードが変更された場合は、前記ステップＳ１０Ａ、ステップＳ１０Ｂ、ステップＳ１０Ｃにおいて、それぞれ、対応する側（方向）へ進む。
【０１２１】
＜作動モードが第１のモードに設定されている場合＞
［０］  まず、最初に、第３のライン２３と第１のライン２１の採血針２９からチャンバー２１ｄまでを、抗凝固剤でプライミングし、その後、ドナー（供血者）の血管に採血針２９を穿刺する。
【０１２２】
［１］  第１サイクルの血液成分採取操作（図４および図５参照）
［１１］  まず、血液成分採取装置１は、第１の血漿採取工程を行なう。第１の血漿採取工程では、ローター１４２の貯血空間１４６内に血液を導入し、血液を遠心分離することにより分離された血漿（ＰＰＰ）を血漿採取バッグ２５内に採取する。
【０１２３】
第１の血漿採取工程では、まず、制御部１３は、血漿（第２の血液成分）の採取を行なう（図４のステップＳ１０１）。
【０１２４】
具体的には、制御部１３の制御により、第１の流路開閉手段８１および第５の流路開閉手段８５を開放し、他の流路開閉手段を閉塞した状態で、第１の送液ポンプ１１を所定の回転速度（好ましくは４０〜１５０ｍＬ／min程度、例えば６０ｍＬ／min）で作動（正転）して、ドナーから採血を開始する。
【０１２５】
また、この採血と同時に、制御部１３の制御により、第２の送液ポンプ１２を作動して、第３のライン２３を介して、例えばＡＣＤ−Ａ液のような抗凝固剤を供給し、この抗凝固剤を採血血液中に混入させる。
【０１２６】
このとき、第２の送液ポンプ１２の回転速度は、制御部１３により、採血血液に対して抗凝固剤が所定比率（好ましくは１／２０〜１／６程度、例えば１／１０）で混合されるように制御される。
【０１２７】
これにより、血液（抗凝固剤添加血液）は、第１のライン２１を介して移送され、遠心分離器２０の流入口１４３より管体１４１を経てローター１４２の貯血空間１４６内に導入される。
【０１２８】
このとき、遠心分離器２０内の空気（滅菌空気）は、第２のライン２２およびチューブ４２を介してエアーバッグ２７ｂ内に送り込まれる。
【０１２９】
また、前記採血と同時にまたはこれと前後して、制御部１３は、遠心分離器駆動装置１０を作動し、ローター１４２を所定の回転数で回転するよう制御する。
【０１３０】
このローター１４２の回転により、貯血空間１４６内に導入された血液は、内側から血漿層（ＰＰＰ層）１３１、バフィーコート層（ＢＣ層）１３２、赤血球層（ＣＲＣ層）１３３の３層に分離される。
【０１３１】
なお、ローター１４２の回転数としては、好ましくは３０００〜６０００ｒｐｍ程度、より好ましくは４２００〜５８００ｒｐｍ程度とされる。また、以下の工程において、特に記載しない限り、制御部１３は、ローター１４２の回転数を変更させない。
【０１３２】
さらに、前記採血および前記抗凝固剤の供給を継続し、貯血空間１４６の容量を越える血液（約２７０ｍＬ）が貯血空間１４６内に導入されると、貯血空間１４６内は血液により満たされ、遠心分離器２０の排出口１４４から血漿（ＰＰＰ）が流出する。
【０１３３】
このとき、第２のライン２２に設置された気泡センサ３４は、第２のライン２２中を流れる流体が、空気から血漿に変わったことを検出し、制御部１３は、この気泡センサ３４の検出信号に基づき、第５の流路開閉手段８５を閉塞し、かつ、第３の流路開閉手段８３を開放するよう制御する。
【０１３４】
これにより、第２のライン２２、チューブ４３および４４を介して血漿を血漿採取バッグ（第２の容器）２５内に導入、採取する。
【０１３５】
なお、血漿採取バッグ２５は、その重量が重量センサ１６により計測されており、計測された重量信号は制御部１３に入力される。
【０１３６】
次いで、制御部１３は、重量センサ１６からの情報（重量信号）に基づき、血漿採取バッグ２５内に所定量の血漿が採取されたか否かを判断する（図４のステップＳ１０２）。
【０１３７】
なお、この血漿の採取量（所定量）としては、好ましくは１０〜１５０ｇ程度、より好ましくは２０〜４０ｇ程度とされる。
【０１３８】
ステップＳ１０２において、血漿採取バッグ２５内に所定量の血漿が採取されていない場合には、制御部１３は、ステップＳ１０１に戻り、再度、ステップＳ１０１以降を繰り返す。
【０１３９】
また、ステップＳ１０２において、血漿採取バッグ２５内に所定量の血漿が採取された場合には、制御部１３は、本工程［１１］（第１の血漿採取工程）を終了して、定速血漿循環工程に移行する。
【０１４０】
［１２］  次に、血液成分採取装置１は、定速血漿循環工程を行なう。定速血漿循環工程では、血漿採取バッグ２５内の血漿を貯血空間１４６内に通して定速で循環させる。
【０１４１】
定速血漿循環工程では、まず、制御部１３は、血漿の循環を行なう（図４のステップＳ１０３）。
【０１４２】
具体的には、制御部１３の制御により、第１の流路開閉手段８１を閉鎖し、第２の流路開閉手段８２を開放するとともに、第２の送液ポンプ１２を停止し、第１の送液ポンプ１１を所定の回転速度（好ましくは６０〜２５０ｍＬ／min程度、例えば２００ｍＬ／min）で作動（正転）する。
【０１４３】
これにより、採血を一時中断するとともに、血漿採取バッグ２５内の血漿をチューブ４９、５０および第１のライン２１を介して貯血空間１４６内に一定速度で導入し、遠心分離器２０の排出口１４４から流出してきた血漿を第２のライン２２、チューブ４３および４４を介して血漿採取バッグ２５内に回収する。すなわち、血漿採取バッグ２５内の血漿を貯血空間１４６内に定速にて循環させる。
【０１４４】
次いで、制御部１３は、定速血漿循環を開始してから所定時間（好ましくは１０〜９０秒程度、例えば３０秒）が経過したか否かを判断する（図４のステップＳ１０４）。
【０１４５】
ステップＳ１０４において、定速血漿循環を開始してから所定時間が経過していない場合には、制御部１３は、ステップＳ１０３に戻り、再度、ステップＳ１０３以降を繰り返す。
【０１４６】
また、ステップＳ１０４において、定速血漿循環を開始してから所定時間が経過した場合には、制御部１３は、本工程［１２］（定速血漿循環工程）を終了して、第２の血漿採取工程に移行する。
【０１４７】
［１３］  次に、血液成分採取装置１は、第２の血漿採取工程を行なう。第２の血漿採取工程では、ローター１４２の貯血空間１４６内に血液を導入し、血液を遠心分離することにより分離された血漿を血漿採取バッグ２５内に採取する。
【０１４８】
なお、この第２の血漿採取工程では、重量センサ１６により血漿の採取量を計測するのに代わり、血漿層１３１とバフィーコート層１３２との界面Ｂの位置を検出する以外、前記工程［１１］（第１の血漿採取工程）と同様の工程を行なう。
【０１４９】
第２の血漿採取工程では、まず、制御部１３は、血漿の採取を行なう（図４のステップＳ１０５）。
【０１５０】
なお、このとき、制御部１３は、第２の流路開閉手段８２を閉塞し、第１の流路開閉手段８１を開放するよう制御する。
【０１５１】
これにより、貯血空間１４６内の赤血球量が増加、すなわち、赤血球層１３３の層厚が増大するのに伴い、界面Ｂも徐々にローター１４２の回転軸方向へ移動する。
【０１５２】
次いで、制御部１３は、光学式センサ１５からの検出信号（界面位置検出情報）に基づき、界面Ｂが所定レベル（第１の位置）に到達したか否かを判断する（図４のステップＳ１０６）。
【０１５３】
なお、この界面Ｂの第１の位置としては、第１の光学式センサ１５からの検出信号（受光部１５２からの出力電圧）が、好ましくは１〜２Ｖ程度となった時点の位置とされる。
【０１５４】
ステップＳ１０６において、界面Ｂが第１の位置に到達していない場合には、制御部１３は、ステップＳ１０５に戻り、再度、ステップＳ１０５以降を繰り返す。
【０１５５】
また、ステップＳ１０６において、界面Ｂが第１の位置に到達した場合には、制御部１３は、本工程［１３］（第２の血漿採取工程）を終了して、加速血漿循環工程に移行する。
【０１５６】
［１４］  次に、血液成分採取装置１は、加速血漿循環工程を行なう。加速血漿循環工程では、血漿採取バッグ２５内の血漿を貯血空間１４６内に加速させながら循環させる。
【０１５７】
加速血漿循環工程では、まず、制御部１３は、血漿の循環を行なう（図４のステップＳ１０７）。
【０１５８】
具体的には、制御部１３の制御により、第１の流路開閉手段８１を閉鎖し、第２の流路開閉手段８２を開放するとともに、第２の送液ポンプ１２を停止し、かつ、第１の送液ポンプ１１の回転速度が一定の加速度にて増加（増大）するように作動（正転）する。
【０１５９】
これにより、採血を一時中断するとともに、血漿採取バッグ２５内の血漿をチューブ４９、５０および第１のライン２１を介して貯血空間１４６内に加速させながら導入し、遠心分離器２０の排出口１４４から流出してきた血漿を第２のライン２２、チューブ４３および４４を介して血漿採取バッグ２５内に回収する。すなわち、血漿採取バッグ２５内の血漿を貯血空間１４６内に加速させながら循環させる。
【０１６０】
なお、このとき、制御部１３は、第１の送液ポンプ１１の回転速度を、前記定速血漿循環より遅い速度（初速：例えば６０ｍＬ／min）から、一定の加速度にて増加（増大）するように制御する。
【０１６１】
この加速条件（加速度）としては、好ましくは１〜１０ｍＬ／min／sec程度、より好ましくは３〜６ｍＬ／min／sec程度とされる。また、加速度は、一定でなくてもよく、例えば、前記範囲内で段階的または連続的に変化するものであってもよい。
【０１６２】
次いで、制御部１３は、血漿の貯血空間１４６内への循環速度が所定速度に到達したか否か、すなわち、第１の送液ポンプ１１の回転速度が所定速度（好ましくは１３０〜２５０ｍＬ／min程度、例えば１５５ｍＬ／min）に到達したか否かを判断する（図４のステップＳ１０８）。
【０１６３】
このステップＳ１０８は、血漿の貯血空間１４６内への循環速度が所定速度に到達するまで継続される。
【０１６４】
また、ステップＳ１０８において、血漿の貯血空間１４６内への循環速度が所定速度に到達した場合、制御部１３は、本工程［１４］（加速血漿循環工程）を終了して、第３の血漿採取工程に移行する。
【０１６５】
［１５］  次に、血液成分採取装置１は、第３の血漿採取工程を行なう。第３の血漿採取工程では、ローター１４２の貯血空間１４６内に血液を導入し、血液を遠心分離することにより分離された血漿を血漿採取バッグ２５内に採取する。
【０１６６】
第３の血漿採取工程では、まず、制御部１３は、血漿の採取を行なう（図４のステップＳ１０９）。
【０１６７】
次いで、制御部１３は、第１の送液ポンプ１１の１回転当たりの送液量および回転回数に基づき、血漿採取バッグ２５内に所定量の血漿が採取されたか否かを判断する（図４のステップＳ１１０）。
【０１６８】
なお、この血漿の採取量（所定量）としては、好ましくは２〜３０ｇ程度、より好ましくは５〜１５ｇ程度とされる。
【０１６９】
また、ステップＳ１１０において、血漿採取バッグ２５内に所定量の血漿が採取された場合には、制御部１３は、本工程［１５］（第３の血漿採取工程）を終了して、血小板採取工程に移行する（図５の１に移行する）。
【０１７０】
［１６］  次に、血液成分採取装置１は、血小板採取工程を行なう。血小板採取工程では、血漿採取バッグ２５内の血漿を、貯血空間１４６内に第１の加速度にて加速させながら循環させ、次いで、第１の加速度より大きい第２の加速度に変更して、この第２の加速度にて加速させながら循環させて、貯血空間１４６内より血小板を流出させ、濃厚血小板を中間バッグ２７ａ内に採取（貯留）する。
【０１７１】
血小板採取工程では、まず、制御部１３は、第１の加速度による血漿循環を行なう（図５のステップＳ１１１）。
【０１７２】
具体的には、制御部１３の制御により、第１の流路開閉手段８１を閉塞し、第２の流路開閉手段８２を開放するとともに、第２の送液ポンプ１２を停止し、かつ、第１の送液ポンプ１１の回転速度を第１の加速度にて増加（増大）するよう作動（正転）する。
【０１７３】
これにより、採血を中断するとともに、血漿採取バッグ２５内の血漿をチューブ４９、５０および第１のライン２１を介して貯血空間１４６内に第１の加速度にて加速させながら導入し、遠心分離器２０の排出口１４４から流出してきた血漿を第２のライン２２、チューブ４３および４４を介して血漿採取バッグ２５内に回収する。すなわち、血漿採取バッグ２５内の血漿を貯血空間１４６内に第１の加速度にて加速させながら循環させる。
【０１７４】
このとき、貯血空間１４６内に血漿を第１の加速度にて加速させながら循環すると、赤血球層１３３の拡散（層厚の増大）が生じて、界面Ｂも徐々にローター１４２の回転軸方向へ移動する。
【０１７５】
この第１の加速度としては、好ましくは０．５〜１０ｍＬ／min／sec程度、より好ましくは１．５〜２．５ｍＬ／min／sec程度とされる。なお、第１の加速度は、一定でなくてもよく、例えば、前記範囲内で段階的または連続的に変化するものであってもよい。
【０１７６】
また、第１の加速度による血漿循環での第１の送液ポンプ１１の初速としては、好ましくは４０〜１５０ｍＬ／min程度、より好ましくは５０〜８０ｍＬ／min程度とされる。
【０１７７】
次いで、制御部１３は、血漿の貯血空間１４６内への循環速度が所定速度に到達するまで、ステップＳ１１１を継続する（図５のステップＳ１１２）。
【０１７８】
なお、この所定の速度、すなわち、第１の加速度による血漿循環が終了するときの第１の送液ポンプ１１の回転速度としては、好ましくは１００〜１８０ｍＬ／min程度、より好ましくは１４０〜１６０ｍＬ／min程度とされる。
【０１７９】
また、ステップＳ１１２において、血漿の貯血空間１４６内への循環速度が所定速度に到達した場合には、制御部１３は、第２の加速度による血漿循環を行なう（図５のステップＳ１１３）。
【０１８０】
具体的には、制御部１３の制御により、第１の送液ポンプ１１の加速度を、第１の加速度から第２の加速度に変更して、第１の送液ポンプ１１の回転速度を第２の加速度にて増加（増大）するよう作動（正転）する。これにより、血漿採取バッグ２５内の血漿を貯血空間１４６内に第２の加速度にて加速させながら循環させる。
【０１８１】
このとき、貯血空間１４６内に血漿を第２の加速度にて加速させながら循環すると、赤血球層１３３の拡散（層厚の増大）が生じて、界面Ｂも徐々にローター１４２の回転軸方向へ移動するとともに、バフィーコート層１３２中の血小板（ＰＣ）が遠心力に抗して浮上し（舞い上がり）、ローター１４２の排出口１４４へ向って移動する。
【０１８２】
この第２の加速度としては、第１の加速度より大きくなるよう設定され、好ましくは３〜２０ｍＬ／min／sec程度、より好ましくは５〜１０ｍＬ／min／sec程度とされる。なお、第２の加速度は、一定でなくてもよく、例えば、前記範囲内で段階的または連続的に変化するものであってもよい。
【０１８３】
次いで、制御部１３は、血漿の貯血空間１４６内への循環速度が所定速度に到達したか否か、すなわち、第１の送液ポンプ１１の回転速度が所定速度（好ましくは１２０〜３００ｍＬ／min程度、例えば２００ｍＬ／min）に到達したか否かを判断する（図５のステップＳ１１４）。
【０１８４】
ステップＳ１１４において、血漿の貯血空間１４６内への循環速度が所定速度に到達していない場合には、制御部１３は、ステップＳ１１３に戻り、再度、ステップＳ１１３以降を繰り返す。
【０１８５】
また、ステップＳ１１４において、血漿の貯血空間１４６内への循環速度が所定速度に到達した場合には、制御部１３は、血漿循環を継続する（図５のステップＳ１１５）。
【０１８６】
具体的には、制御部１３は、第１の送液ポンプ１１の回転速度を、前記ステップＳ１１４における所定速度で維持（保持）するよう制御する。これにより、血漿の貯血空間１４６内への循環速度を、好ましくは１２０〜３００ｍＬ／min程度、例えば２００ｍＬ／minとする。
【０１８７】
次いで、制御部１３は、ステップＳ１１５を開始してから所定時間（好ましくは５〜１５秒程度、例えば１０秒）が経過したか否かを判断する（図５のステップＳ１１６）。
【０１８８】
ステップＳ１１６において、ステップＳ１１５を開始してから所定時間が経過していない場合には、次いで、制御部１３は、濁度センサ１４からの出力電圧（ＰＣ濃度電圧）が所定値（好ましくは２．５〜３．５Ｖ程度、例えば、３．０Ｖ）以下に低下したか否かを判断する（図５のステップＳ１１７）。
【０１８９】
ステップＳ１１７において、濁度センサ１４からの出力電圧が所定値以下に低下していない場合には、制御部１３は、ステップＳ１１５に戻り、再度、ステップＳ１１５以降を繰り返す。
【０１９０】
ステップＳ１１５〜Ｓ１１７を繰り返している間に、ステップＳ１１６において、ステップＳ１１５を開始してから所定時間が経過した場合には、制御部１３は、本工程［１６］（血小板採取工程）を終了して、後述するステップＳ１２２に移行する。
【０１９１】
また、ステップＳ１１７において、濁度センサ１４からの出力電圧が所定値以下に低下した場合には、すなわち、ローター１４２の排出口１４４から血小板が流出するのに伴い、第２のライン２２中を流れる血漿中の血小板濃度が所定値以上に到達した場合には、制御部１３は、血小板（ＰＣ）（第１の血液成分）の採取を行なう（図５のステップＳ１１８）。
【０１９２】
具体的には、制御部１３は、濁度センサ１４の検出信号に基づき、第３の流路開閉手段８３を閉塞し、かつ、第４の流路開閉手段８４を開放するよう制御する。
【０１９３】
これにより、第２のライン２２、チューブ４３および４５を介して濃厚血小板を中間バッグ２７ａ内へ導入し、採取（貯留）する。なお、このとき、第７の流路開閉手段８７は、閉塞しているため、濃厚血小板は、中間バッグ２７ａ内から流出しない。
【０１９４】
また、制御部１３は、濁度センサ１４からの出力電圧（検出信号）に基づき、中間バッグ２７ａ内の血小板濃度（累積ＰＣ濃度）を算出する。なお、この血小板濃度は、ＰＣ採取を開始してから上昇を続け、一旦、最高濃度に到達した後、下降に転じる。
【０１９５】
次いで、制御部１３は、ＰＣ採取を開始してから所定時間（好ましくは１０〜２５秒程度、例えば１５秒）が経過したか否かを判断する（図５のステップＳ１１９）。
【０１９６】
ステップＳ１１９において、ＰＣ採取を開始してから所定時間が経過していない場合には、次いで、制御部１３は、濁度センサ１４の出力電圧（ＰＣ濃度電圧）が所定値以下に到達したか否かを判断する（図５のステップＳ１２０）。
【０１９７】
この濁度センサ１４の出力電圧の所定値としては、第２のライン２２中を流れる血漿中に赤血球の混入が生じる時点付近の値とされ、好ましくは０．５Ｖ以下程度とされる。
【０１９８】
ステップＳ１２０において、濁度センサ１４の出力電圧が所定値以下に到達していない場合には、次いで、制御部１３は、中間バッグ２７ａ内の濃厚血小板が所定量に到達したか否かを判断する（図５のステップＳ１２１）。
【０１９９】
なお、この濃厚血小板の採取量（所定量）としては、好ましくは２０〜１００ｍＬ程度、より好ましくは４０〜８０ｍＬ程度とされる。
【０２００】
ステップＳ１２１において、中間バッグ２７ａ内の濃厚血小板が所定量に到達しない場合には、制御部１３は、ステップＳ１１８に戻り、再度、ステップＳ１１８以降を繰り返す。
【０２０１】
ステップＳ１１８〜Ｓ１２１を繰り返している間に、ステップＳ１１９において、ＰＣ採取を開始してから所定時間が経過した場合、または、ステップＳ１２０において、濁度センサ１４の出力電圧が所定値以下に到達した場合には、制御部１３は、本工程［１６］（血小板採取工程）を終了して、後述するステップＳ１２２に移行する。
【０２０２】
また、ステップＳ１２１において、中間バッグ２７ａ内の濃厚血小板が所定量に到達した場合には、制御部１３は、第５の流路開閉手段８５を開放し、この他の全ての流路開閉手段８１〜８４、８６、８７を閉塞した状態とし、第１の送液ポンプ１１を停止して、本工程［１６］（血小板採取工程）を終了する。
【０２０３】
［１７］  次に、血液成分採取装置１は、遠心分離器２０を停止する工程を行なう。
この工程では、まず、制御部１３は、遠心分離器２０の減速を行なう（図５のステップＳ１２２）。
【０２０４】
具体的には、制御部１３の制御により、遠心分離器駆動装置１０の回転数を減少して、ローター１４２を減速する。
さらに、制御部１３は、遠心分離器２０の停止を行なう（図５のステップＳ１２３）。
【０２０５】
具体的には、制御部１３の制御により、遠心分離器駆動装置１０の回転を停止して、ローター１４２を停止する。
【０２０６】
［１８］  次に、血液成分採取装置１は、返血工程を行なう。返血工程では、ローター１４２の貯血空間１４６内の血液成分（残りの血液成分）を返血する。
【０２０７】
返血工程では、制御部１３は、返血を行なう（図５のステップＳ１２４）。
具体的には、制御部１３の制御により、第１の流路開閉手段８１および第５の流路開閉手段８５を開放するとともに、第１の送液ポンプ１１を所定の回転速度（好ましくは２０〜１２０ｍＬ／min程度、例えば９０ｍＬ／min）で作動（逆転）する。
【０２０８】
これにより、ローター１４２の貯血空間１４６内に残存する血液成分（主に、赤血球、白血球）は、遠心分離器２０の流入口１４３から排出され、第１のライン２１（採血針２９）を介してドナーに返血（返還）される。
【０２０９】
そして、気泡センサ３２によって遠心分離器２０から排出される空気を検出して、所定の回数だけ第１の送液ポンプ１１を回転した後、第１の流路開閉手段８１および第５の流路開閉手段８５を閉塞するとともに、第１の送液ポンプ１１を停止して、本工程［１８］（返血工程）を終了する。
これにより、第１サイクルの血液成分採取操作を終了する。
【０２１０】
［２］  最終サイクルではない第２サイクルの血液成分採取操作（図４および図５参照）
続いて、第２サイクルの血液成分採取操作を行なう。
【０２１１】
第２サイクルの血液成分採取操作では、下記の通り、前記第１サイクルの血液成分採取操作と同様の工程を行なう。
【０２１２】
［２１］〜［２８］  前記工程［１１］〜［１８］と同様の工程をそれぞれ行なう。
これにより、第２サイクルの血液成分採取操作を終了する。
なお、最終サイクルではない第３サイクル以降の血液成分採取操作も同様である。
【０２１３】
［３］  最終サイクルの血液成分採取操作（図４および図５参照）
続いて、最終サイクルの血液成分採取操作を行なう。
【０２１４】
最終サイクルの血液成分採取操作では、濃厚血小板から白血球を分離除去する濾過工程を行なうこと以外は、前記第１サイクルの血液成分採取操作と同様の工程を行なう。
【０２１５】
［３１］〜［３７］  前記濾過工程を行なうこと以外は、前記工程［１１］〜［１７］と同様の工程をそれぞれ行なう。なお、濾過工程については、後に詳述する。
【０２１６】
［３８］  気泡センサ３５または３６によって遠心分離器２０から排出される空気を検出して、第１の流路開閉手段８１および第５の流路開閉手段８５を閉塞するとともに、第１の送液ポンプ１１を停止して、本工程［３８］（返血工程）を終了すること以外は、前記工程［１８］と同様の工程を行なう。
【０２１７】
なお、血漿の目標採取量が０ｍＬの場合は、第３の流路開閉手段８３を開放して、血漿採取バッグ２５内に採取された血漿を、ほぼ全部、返血する。
これにより、最終サイクルの血液成分採取操作を終了する。
【０２１８】
次に、濾過工程について説明する。
血小板の目標単位数が０単位でない場合（血小板の目標採取量が０ｍＬではない場合）、すなわち、作動モードが第１のモードに設定されている場合は、本実施形態では、第２の血漿採取工程を行なうのとほぼ同時に、制御部１３は、中間バッグ２７ａ内に一時的に採取（貯留）した濃厚血小板を、白血球除去フィルター２６１に供給して、濃厚血小板の濾過、すなわち、濃厚血小板中の白血球の分離除去を行なう。
【０２１９】
具体的には、ステップＳ１０５の前に、制御部１３の制御により、第７の流路開閉手段８７を開放して濾過工程を開始する（図示せず）。なお、濾過工程を開始するタイミングは、これに限定されないことは、言うまでもない。
【０２２０】
これにより、中間バッグ２７ａ内の濃厚血小板を、落差（自重）により、チューブ４６、４７、白血球除去フィルター２６１およびチューブ４８を経て、血小板採取バッグ２６内に移送する。このとき、濃厚血小板は、そのほとんどが、白血球除去フィルター２６１の濾過部材を通過するが、白血球は濾過部材に捕捉される。このため、血小板製剤中の白血球の除去率を極めて高いものとすることができる。
【０２２１】
なお、濃厚血小板の中間バッグ２７ａ内から血小板採取バッグ２６への移送は、ポンプを用いて行なうようにしてもよい。
【０２２２】
また、第７の流路開閉手段８７は、制御部１３の制御により作動するものに代わり、手動によりチューブ４７の流路の途中を開閉し得るクレンメ等であってもよい。
【０２２３】
なお、途中で、血小板の目標単位数が所定単位から０単位に変更されて（血小板の目標採取量が所定値から０ｍＬに変更されて）、後述する第２モードに設定され、中間バッグ２７ａ内に濃厚血小板が所定量採取された場合、前記濾過工程を行なうような構成にしてもよく、また、前記濾過工程を行なわないような構成にしてもよく、また、前記濾過工程を行なうか、行なわないかを選択し得るような構成にしてもよい。
【０２２４】
また、途中で、血小板の目標単位数が所定単位から０単位に変更されて（血小板の目標採取量が所定値から０ｍＬに変更されて）、後述する第２モードに設定され、中間バッグ２７ａ内に濃厚血小板が所定量採取された場合、その中間バッグ２７ａ内に採取された濃厚血小板を、ほぼ全部、例えば、前記返血工程（特に、最終サイクルの返血工程）において返血するような構成にしてもよい。これにより、ドナーの負担を軽減することができる。
【０２２５】
＜作動モードが第２のモードに設定されている場合＞
［０］  まず、最初に、第３のライン２３と第１のライン２１の採血針２９からチャンバー２１ｄまでを、抗凝固剤でプライミングし、その後、ドナー（供血者）の血管に採血針２９を穿刺する。
【０２２６】
［１］  第１サイクルの血液成分採取操作（図４および図５参照）
［１１］  まず、血液成分採取装置１は、第１の血漿採取工程および第２の血漿採取工程（実質的には、１つの血漿採取工程）を行なう。第１の血漿採取工程および第２の血漿採取工程では、ローター１４２の貯血空間１４６内に血液を導入し、血液を遠心分離することにより分離された血漿（ＰＰＰ）を血漿採取バッグ２５内に採取する。
【０２２７】
第１の血漿採取工程および第２の血漿採取工程では、まず、制御部１３は、血漿（第２の血液成分）の採取を行なう（図４のステップＳ１０１、Ｓ１０５）。
【０２２８】
具体的には、制御部１３の制御により、第１の流路開閉手段８１および第５の流路開閉手段８５を開放し、他の流路開閉手段を閉塞した状態で、第１の送液ポンプ１１を所定の回転速度（好ましくは４０〜１５０ｍＬ／min程度、例えば６０ｍＬ／min）で作動（正転）して、ドナーから採血を開始する。
【０２２９】
また、この採血と同時に、制御部１３の制御により、第２の送液ポンプ１２を作動して、第３のライン２３を介して、例えばＡＣＤ−Ａ液のような抗凝固剤を供給し、この抗凝固剤を採血血液中に混入させる。
【０２３０】
このとき、第２の送液ポンプ１２の回転速度は、制御部１３により、採血血液に対して抗凝固剤が所定比率（好ましくは１／２０〜１／６程度、例えば１／１０）で混合されるように制御される。
【０２３１】
これにより、血液（抗凝固剤添加血液）は、第１のライン２１を介して移送され、遠心分離器２０の流入口１４３より管体１４１を経てローター１４２の貯血空間１４６内に導入される。
【０２３２】
このとき、遠心分離器２０内の空気（滅菌空気）は、第２のライン２２およびチューブ４２を介してエアーバッグ２７ｂ内に送り込まれる。
【０２３３】
また、前記採血と同時にまたはこれと前後して、制御部１３は、遠心分離器駆動装置１０を作動し、ローター１４２を所定の回転数で回転するよう制御する。
【０２３４】
このローター１４２の回転により、貯血空間１４６内に導入された血液は、内側から血漿層（ＰＰＰ層）１３１、バフィーコート層（ＢＣ層）１３２、赤血球層（ＣＲＣ層）１３３の３層に分離される。
【０２３５】
なお、ローター１４２の回転数としては、好ましくは３０００〜６０００ｒｐｍ程度、より好ましくは４２００〜５８００ｒｐｍ程度とされる。また、以下の工程において、特に記載しない限り、制御部１３は、ローター１４２の回転数を変更させない。
【０２３６】
さらに、前記採血および前記抗凝固剤の供給を継続し、貯血空間１４６の容量を越える血液（約２７０ｍＬ）が貯血空間１４６内に導入されると、貯血空間１４６内は血液により満たされ、遠心分離器２０の排出口１４４から血漿（ＰＰＰ）が流出する。
【０２３７】
このとき、第２のライン２２に設置された気泡センサ３４は、第２のライン２２中を流れる流体が、空気から血漿に変わったことを検出し、制御部１３は、この気泡センサ３４の検出信号に基づき、第５の流路開閉手段８５を閉塞し、かつ、第３の流路開閉手段８３を開放するよう制御する。
【０２３８】
これにより、第２のライン２２、チューブ４３および４４を介して血漿を血漿採取バッグ（第２の容器）２５内に導入、採取する。
【０２３９】
なお、血漿採取バッグ２５は、その重量が重量センサ１６により計測されており、計測された重量信号は制御部１３に入力される。
【０２４０】
次いで、制御部１３は、重量センサ１６からの情報（重量信号）に基づき、血漿採取バッグ２５内に採取された血漿の量（総血漿採取量）が、血漿の目標採取量（目標血漿採取量）に到達したか否かを判断する（図４のステップＳ１３１）。
【０２４１】
ステップＳ１３１において、血漿採取バッグ２５内に採取された血漿の量が、目標血漿採取量に到達した場合には、制御部１３は、第３の流路開閉手段８３を閉塞し、本工程［１１］を終了して、ステップＳ１２２に移行する。
【０２４２】
また、ステップＳ１３１において、血漿採取バッグ２５内に採取された血漿の量が、目標血漿採取量に到達していない場合には、制御部１３は、サイクル当たりの採血量が許容体外循環血液量に到達したか否かを判断する（図４のステップＳ１３２）。
【０２４３】
ステップＳ１３２において、サイクル当たりの採血量が許容体外循環血液量に到達した場合には、制御部１３は、第３の流路開閉手段８３を閉塞し、本工程［１１］を終了して、ステップＳ１２２に移行する。
【０２４４】
また、ステップＳ１３２において、サイクル当たりの採血量が許容体外循環血液量に到達していない場合には、制御部１３は、光学式センサ１５からの検出信号（界面位置検出情報）に基づき、界面Ｂが所定レベル（第１の位置）に到達したか否かを判断する（図４のステップＳ１３３）。
【０２４５】
なお、この界面Ｂの第１の位置としては、第１の光学式センサ１５からの検出信号（受光部１５２からの出力電圧）が、好ましくは１〜２Ｖ程度となった時点の位置とされる。
【０２４６】
ステップＳ１３３において、界面Ｂが第１の位置に到達していない場合には、制御部１３は、ステップＳ１０５に戻り、再度、ステップＳ１０５以降を繰り返す。
【０２４７】
また、ステップＳ１３３において、界面Ｂが第１の位置に到達した場合には、制御部１３は、本工程［１１］を終了して、第３の血漿採取工程に移行する。
なお、第１のモードにおける工程［１２］、［１４］は省略される。
【０２４８】
［１５］  次に、血液成分採取装置１は、第３の血漿採取工程を行なう。第３の血漿採取工程では、ローター１４２の貯血空間１４６内に血液を導入し、血液を遠心分離することにより分離された血漿を血漿採取バッグ２５内に採取する。
【０２４９】
第３の血漿採取工程では、まず、制御部１３は、血漿の採取を行なう（図４のステップＳ１０９）。
【０２５０】
次いで、制御部１３は、重量センサ１６からの情報（重量信号）に基づき、血漿採取バッグ２５内に採取された血漿の量（総血漿採取量）が、血漿の目標採取量（目標血漿採取量）に到達したか否かを判断する（図４のステップＳ１３４）。
【０２５１】
ステップＳ１３４において、血漿採取バッグ２５内に採取された血漿の量が、目標血漿採取量に到達した場合には、制御部１３は、第３の流路開閉手段８３を閉塞し、本工程［１５］を終了して、ステップＳ１２２に移行する。
【０２５２】
また、ステップＳ１３４において、血漿採取バッグ２５内に採取された血漿の量が、目標血漿採取量に到達していない場合には、制御部１３は、サイクル当たりの採血量が許容体外循環血液量に到達したか否かを判断する（図４のステップＳ１３５）。
【０２５３】
ステップＳ１３５において、サイクル当たりの採血量が許容体外循環血液量に到達した場合には、制御部１３は、第３の流路開閉手段８３を閉塞し、本工程［１５］を終了して、ステップＳ１２２に移行する。
【０２５４】
また、ステップＳ１３５において、サイクル当たりの採血量が許容体外循環血液量に到達していない場合には、制御部１３は、濁度センサ１４の出力電圧（ＰＰＰ濃度電圧）が所定値以下に到達したか否かを判断する（図５のステップＳ１３６）。
【０２５５】
この濁度センサ１４の出力電圧の所定値としては、第２のライン２２中を流れる血漿に血球の混入が生じない程度の値とされ、好ましくは２〜３Ｖ以下程度とされる。
【０２５６】
ステップＳ１３６において、濁度センサ１４の出力電圧が所定値以下に到達していない場合には、制御部１３は、ステップＳ１０９に戻り、再度、ステップＳ１０９以降を繰り返す。
【０２５７】
また、ステップＳ１３６において、濁度センサ１４の出力電圧が所定値以下に到達した場合には、制御部１３は、第３の流路開閉手段８３を閉塞し、本工程［１５］を終了して、ステップＳ１２２に移行する。
なお、第１のモードにおける工程［１６］は省略される。
【０２５８】
［１７］  次に、血液成分採取装置１は、遠心分離器２０を停止する工程を行なう。
この工程では、まず、制御部１３は、遠心分離器２０の減速を行なう（図５のステップＳ１２２）。
【０２５９】
具体的には、制御部１３の制御により、遠心分離器駆動装置１０の回転数を減少して、ローター１４２を減速する。
さらに、制御部１３は、遠心分離器２０の停止を行なう（図５のステップＳ１２３）。
【０２６０】
具体的には、制御部１３の制御により、遠心分離器駆動装置１０の回転を停止して、ローター１４２を停止する。
【０２６１】
［１８］  次に、血液成分採取装置１は、返血工程を行なう。返血工程では、ローター１４２の貯血空間１４６内の血液成分（残りの血液成分）を返血する。
【０２６２】
返血工程では、制御部１３は、返血を行なう（図５のステップＳ１２４）。
具体的には、制御部１３の制御により、第１の流路開閉手段８１および第５の流路開閉手段８５を開放するとともに、第１の送液ポンプ１１を所定の回転速度（好ましくは２０〜１２０ｍＬ／min程度、例えば９０ｍＬ／min）で作動（逆転）する。
【０２６３】
これにより、ローター１４２の貯血空間１４６内に残存する血液成分（主に、赤血球、白血球）は、遠心分離器２０の流入口１４３から排出され、第１のライン２１（採血針２９）を介してドナーに返血（返還）される。
【０２６４】
そして、気泡センサ３２によって遠心分離器２０から排出される空気を検出して、所定の回数だけ第１の送液ポンプ１１を回転した後、第１の流路開閉手段８１および第５の流路開閉手段８５を閉塞するとともに、第１の送液ポンプ１１を停止して、本工程［１８］（返血工程）を終了する。
これにより、第１サイクルの血液成分採取操作を終了する。
【０２６５】
［２］  最終サイクルではない第２サイクルの血液成分採取操作（図４および図５参照）
続いて、第２サイクルの血液成分採取操作を行なう。
【０２６６】
第２サイクルの血液成分採取操作では、下記の通り、前記第１サイクルの血液成分採取操作と同様の工程を行なう。
【０２６７】
［２１］、［２５］、［２７］、［２８］は、前記工程［１１］、［１５］、［１７］、［１８］と同様の工程をそれぞれ行なう。
【０２６８】
これにより、第２サイクルの血液成分採取操作を終了する。
なお、最終サイクルではない第３サイクル以降の血液成分採取操作も同様である。
【０２６９】
［３］  最終サイクルの血液成分採取操作（図４および図５参照）
続いて、最終サイクルの血液成分採取操作を行なう。
【０２７０】
最終サイクルの血液成分採取操作では、返血工程以外は、下記の通り、前記第１サイクルの血液成分採取操作と同様の工程を行なう。
【０２７１】
［３１］、［３５］、［３７］は、前記工程［１１］、［１５］、［１７］と同様の工程をそれぞれ行なう。
【０２７２】
［３８］  気泡センサ３５または３６によって遠心分離器２０から排出される空気を検出して、第１の流路開閉手段８１および第５の流路開閉手段８５を閉塞するとともに、第１の送液ポンプ１１を停止して、本工程［３８］（返血工程）を終了すること以外は、前記工程［１８］と同様の工程を行なう。
これにより、最終サイクルの血液成分採取操作を終了する。
【０２７３】
なお、前記第１のモードおよび前記第２のモードにおいて、それぞれ、血液成分採取操作は、複数回行なう場合に限定されず、例えば、１回のみ行なってもよい。
【０２７４】
また、血液成分採取回路２の構成も、適宜設定可能であり、図示の構成に限定されない。
【０２７５】
以上説明したように、この血液成分採取装置１によれば、第１のモードと第２のモードとに切り替え可能であるので、同一の作動モードで作動する場合に比べ、無駄な工程（動作）が削減され、採取対象の血液成分を容易かつ迅速に採取することができる。
【０２７６】
例えば、血小板および血漿をそれぞれ採取している途中で、血小板の取れ具合が悪いときや、血小板に赤血球が混入するとき等、必要に応じて、血小板の目標単位数を０（目標採取量を０）に設定すると、自動的に、第２のモードに切り替わり、その第２のモードで作動し、無駄な工程（動作）を行なわずに血漿を採取することができる。これにより、短時間で血漿を採取することができる。
【０２７７】
また、この血液成分採取装置１では、血液より分離、採取された濃厚血小板中から、白血球除去フィルター２６１により白血球を分離除去するため、白血球の混入が極めて低い血小板製剤を得ることができる。
【０２７８】
以上、本発明の血液成分板採取装置を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
【０２７９】
また、本発明の血液成分採取装置は、血小板製剤や血漿製剤を得るのに適用する場合に限らず、例えば、血液中から白血球製剤、赤血球製剤等を得る場合に適用してもよい。すなわち、第１の血液成分は、血小板（血小板を含む血漿）に限定されず、例えば、血漿、白血球、赤血球等であってもよく、また、第２の血液成分は、血漿に限定されず、例えば、血小板（血小板を含む血漿）、白血球、赤血球等であってもよい。
【０２８０】
また、本発明では、細胞分離フィルター（濾過器）により分離除去する細胞も、白血球に限定されない。
【０２８１】
また、本発明では、光学式センサは、図示のものに限定されず、例えば、ラインセンサ等であってもよい。
【０２８２】
また、本発明の血液成分採取装置の方式は、間歇式に限らず、例えば、連続式であってもよい。
【図面の簡単な説明】
【０２８３】
【図１】本発明の血液成分採取装置の実施形態を示す斜視図である。
【図２】本発明の血液成分採取装置の実施形態を示す平面図である。
【図３】図１および図２に示す血液成分採取装置が備える遠心分離器駆動装置に遠心分離器が装着された状態の部分破断断面図である。
【図４】図１および図２に示す血液成分採取装置の作用を説明するためのフローチャートである。
【図５】図１および図２に示す血液成分採取装置の作用を説明するためのフローチャートである。
【符号の説明】
【０２８４】
１              血液成分採取装置
２              血液成分採取回路
３              装置本体
１０            遠心分離器駆動装置
１１            第１の送液ポンプ
１２            第２の送液ポンプ
１３            制御部
１４            濁度センサ
１５            光学式センサ
１５１          投光部
１５２          受光部
１５３          反射板
１６            重量センサ
１７            表示・操作部
２０            遠心分離器
２１            第１のライン
２１ａ          採血針側第１ライン
２１ｂ          遠心分離器側第１ライン
２１ｃ          分岐コネクター
２１ｄ          チャンバー
２１ｆ          分岐コネクター
２１ｇ          ポンプチューブ
２１ｈ          チューブ
２１ｉ          フィルター
２２            第２のライン
２２ｂ          分岐コネクター
２２ｃ          分岐コネクター
２２ｄ          分岐コネクター
２２ｅ          分岐コネクター
２２ｆ          フィルター
２２ｇ          分岐コネクター
２２ｈ          フィルター
２３            第３のライン
２３ａ          ポンプチューブ
２３ｂ          除菌フィルター
２３ｃ          気泡除去用チャンバー
２３ｄ          抗凝固剤容器接続用針
２５            血漿採取バッグ
２６            血小板採取バッグ
２６１          白血球除去フィルター
２７ａ          中間バッグ
２７ｂ          エアーバッグ
２８            バッグ
２９            採血針
３１〜３６      気泡センサ
４１〜５１      チューブ
６１            バッグ
７０            カセットハウジング
８１〜８７      第１〜第７の流路開閉手段
１３１          血漿層
１３２          バフィーコート層
１３３          赤血球層
１４１          管体
１４２          ローター
１４３          流入口
１４４          排出口
１４５          上部
１４６          貯血空間
１４７          反射面
２０１          ハウジング
２０２          脚部
２０３          モータ
２０４          回転軸
２０５          固定台
２０６          ボルト
２０７          スペーサー
３０１〜３０３  ハンガー
Ｓ１０１〜Ｓ１２４  ステップ
Ｓ１３１〜Ｓ１３６  ステップ
Ｓ１０Ａ〜Ｓ１０Ｃ  ステップ
【図１】
2006026182.tif 000003
【図２】
2006026182.tif 000004
【図３】
2006026182.tif 000005
【図４】
2006026182.tif 000006
【図５】
2006026182.tif 000007